(57)【特許請求の範囲】
【請求項１】
絶縁操作棒の先端に被把持物を把持する開閉可能な把持具を装備し、前記絶縁操作棒の基端側に前記把持具を開閉操作する揺動可能な操作レバーを有する操作部を装備した間接活線把持工具において、
前記絶縁操作棒の基端側に固定装備されたラチェット歯車と、
前記操作レバー上に揺動可能に設けられたラチェット爪部材であって、前記ラチェット歯車に係脱自在に係止する爪部分及び操作部分を有するラチェット爪部材と、
前記ラチェット爪部材の操作部分と前記操作レバーとの間に介在し、前記ラチェット爪部材の爪部分が前記ラチェット歯車に係止するように付勢する、付勢部材と、
径の小さいロック部及びこれよりも径の大きいロック解除部が設けられた棒状のロックピンであって、前記ラチェット爪部材の軸線方向と直交する方向にスライド可能に前記操作レバーに設けられたロックピンとを備え、
前記ロックピンのロック部が前記ラチェット爪部材の操作部分上に位置決めされると、前記ラチェット爪部材は、前記付勢部材の付勢力により、前記爪部分が前記ラチェット歯車に係止する方向へ回動して、前記操作レバーの前記把持具を開く方向への回動を阻止するロック状態となり、
前記ロックピンのロック解除部が前記ラチェット爪部材の操作部分上に位置決めされると、前記ラチェット爪部材は、前記付勢部材の付勢力に抗して、前記爪部分が前記ラチェット歯車から離れる方向に回動して、前記ロック状態が解除されることを特徴とする間接活線把持工具。
【請求項２】
前記ラチェット爪部材の操作部分が略Ｌ字状であり、前記操作部分の基端側部分が前記操作レバーの軸線方向に伸びる溝から出没するように設けられ、前記操作部分の基端側部分が前記付勢部材の付勢力に抗して押圧されると、前記ラチェット爪部材の爪部分が前記ラチェット歯車から離れて一時的にロック解除状態となる、請求項１に記載の間接活線把持工具。
【発明の詳細な説明】
【０００１】
【発明の属する技術分野】
本発明は、配電線の活線工事に使用する間接活線把持工具に係り、詳しくは把持具を操作する部分のロック操作とロック解除操作とが容易に行える間接活線把持工具に関する。
【０００２】
【従来の技術】
近年、配電線の活線工事を安全且つ効率良く行うため、絶縁操作棒の先端に把持具を装備し、該把持具を絶縁操作棒の基端側に装備したレバーを介して遠隔操作するようにした間接活線把持工具が使用されている。
【０００３】
間接活線把持工具は、その使い易さの観点から、把持具で対象物を一旦把持した後、把持具の閉じた状態を保持して、該把持具を操作するレバーから手を離しても該ロック状態が維持できるようにすることが要望されており、このため把持具の操作部分をロックする機構を装備したものが種々提案されている。
【０００４】
例えば、図７及び図８に示すようなロック機構が提案されている。同図によれば、絶縁操作棒１００の基端側にはカバー１１０が設けられ、このカバー１１０には操作レバー１２０が装備される。操作レバー１２０は、絶縁操作棒１００の先端に装備した把持具（図示せず）を遠隔操作で開閉するもので、その一端部寄りに固定された支持ピン１３０を介してカバー１１０に揺動可能に支持される。カバー１１０には把持具が被把持物を把持し続けるようにするためのロック機構が装備される。このロック機構は、レバー１２０の回動方向を拘束することによって把持具が開かないようにするもので、支持ピン１３０に固定された歯車１４０（ラチェット歯車）と、この歯車１４０に係脱自在に係止する係止爪部１５１（ラチェット爪）を一端部に有する揺動可能なロックレバー１５０と、カバー１１０に螺合され、ロックレバー１５０の揺動範囲を規制するネジ部材１６０と、歯車１４０と係止爪部１５１との係止状態を維持するようにロックレバー１５０を付勢するスプリング１７０とを具備する。ロックレバー１５０は、ピン１８０を介してカバー１１０に揺動可能に装備され、係止爪部１５１を設けた側と反対側の他端部にロック解除ボタン１９０が設けられる。ここで、歯車１４０とロックレバー１５０は、該歯車１４０と係止爪部１５１とが係止している状態で操作レバー１２０の一方向（把持具を閉じる方向）の回動のみを許容するが、これと反対の他方向（把持具を開く方向）への回動を阻止する一方向回転機構を構成する。
【０００５】
被把持物を把持するためには、まず把持具を完全に開いた状態にする。これには、ネジ部材１６０を、一方向に回動させて、図７に示すように、ロックレバー１５０側に突出させる。ロックレバー１５０は、ネジ部材１６０に押圧されて、スプリング１７０のバネ力に抗して図７の時計方向に回動し、係止爪部１５１を歯車１４０から外す。これにより、操作レバー１２０は、一方向のみではなく、これと反対の他方向にも回動できるフリーな状態となる。この状態で操作レバー１２０により把持具を完全に開く。次いで、ネジ部材１６０を他方向に回動させて、ロックレバー１５０から離れる方向に移動させる。これにより、ロックレバー１５０は、スプリング１７０のバネ力によって図７の反時計方向に回動して、係止爪部１５１を歯車１４０に係止させる（図８参照）。この後、操作レバー１２０を一方向へ回動させて把持具を閉じ、被把持物を把持する。
【０００６】
係止爪部１５１が歯車１４０に係止した状態では、操作レバー１２０の一方向への回動（把持具をさらに閉じる方向への回動）は許容されるものの、他方向への回動（把持具を開く方向への回動）を阻止するので、被把持物の把持状態が維持される。すなわち、操作レバー１２０の回動を一方向にのみ規制することによって、把持具が開かないようにロックされる。
【０００７】
把持具を開くには、上述した如く、ネジ部材１６０を一方向に回動させて、ロックレバー１５０側に突出させてロックレバー１５０をスプリング１７０のバネ力に抗して図７の時計方向に回動させるか、あるいはロック解除ボタン１９０を押圧してロックレバー１５０をスプリング１７０のバネ力に抗して図７の時計方向に回動させて、係止爪部１５１を歯車１４０から外し、ロックを解除させる。これにより、操作レバー１２０を他方向に回動させて、把持具を開き、該把持具から被把持物を取り外すことが出来る。
【０００８】
【発明が解決しようとする課題】
上記ロック機構によれば、操作レバー１２０をロックするにはネジ部材１６０を一方向に回動操作し、また操作レバー１２０のロック状態を解除するにはネジ部材１６０を他方向に回動操作するか、あるいはロック解除ボタン１９０をスプリング１７０のバネ力に抗して押し続ける必要があり、このため作業性が劣り、その改善が要望されていた。
【０００９】
本発明は、操作レバーを把持する手でロック、ロック解除操作が容易に行えるロック機構を装備した間接活線把持工具を提供することを目的とする。
【００１０】
【課題を解決するための手段】
上記目的を達成するために、本発明の活線把持工具は、絶縁操作棒の先端に被把持物を把持する開閉可能な把持具を装備し、絶縁操作棒の基端側に該把持具を開閉操作する揺動可能な操作レバーを有する操作部を装備した間接活線把持工具において、前記操作レバーの回動を制限するロック機構を備え、該ロック機構は、前記絶縁操作棒の基端側に装備され、前記把持具の閉じる方向への前記操作レバーの回動を許容するが、前記把持具の開く方向への前記操作レバーの回動を阻止する一方向回転機構と、ロック時に前記一方向回転機構を保持し、ロック解除時に前記一方向回転機構を解除して前記把持具を閉じる方向と開く方向のいずれの方向にも前記操作レバーが回動するのを許容する、前記操作レバー上にスライド可能に装備されたロックピン部材とを具備してなることを特徴とする。
【００１１】
前記一方向回転機構を、前記絶縁操作棒の基端側に固定装備されたラチェット歯車と、前記操作レバー上に揺動可能に装備され、前記ラチェット歯車に係脱自在に係止するラチェット爪部材とから構成することが好ましい。
【００１２】
また、前記ラチェット爪部材と前記操作レバーとの間に付勢部材を介在させ、前記ラチェット爪部材を前記ラチェット歯車と係止するように付勢することが好ましい。
【００１３】
また、前記ロックピン部材を、棒状に形成して、前記付勢部材によって前記ラチェット爪部材が当接する状態で該ラチェット爪部材の軸線方向と直交する方向にスライドするように前記操作レバーに装備することが好ましい。
【００１４】
さらに、前記ロックピン部材に、外径が互いに異なる、前記ラチェット爪部材と前記ラチェット歯車との係止を維持するロック部と前記付勢手段に抗して前記ラチェット爪部材と前記ラチェット歯車との係止を解除するロック解除部とを設けることが好ましい。
【００１５】
【発明の実施の形態】
以下、本発明の一実施例について、図１乃至図６を参照して説明する。
【００１６】
図１は本発明の一実施例を示す間接活線把持工具全体の正面図、図２は図１の間接活線把持工具に装備されたロック機構の部分拡大正面図、図３は把持具の閉じ状態を維持するときの、ロック機構の部分拡大正面図、図４は同側面図、図５は図３の状態からロックを解除したときの、ロック機構の部分拡大正面図、図６は同側面図である。
【００１７】
本実施例の間接活線把持工具は、図１に示すように、固定把持片１１と該固定把持片１１に対して接離可能に配置された回動把持片１２とからなる把持具１０と、該把持具１０を先端に装備して該把持具１０を作業位置に位置決めするための絶縁操作棒２０と、回動把持片１２を固定把持片１１に対して接離操作（回動操作）する操作レバー３１を絶縁操作棒２０の基端側に揺動可能に装備した操作部３０と、該操作部３０の操作レバー３１の近傍に装備され、該操作レバー３１をロックするロック機構４０とを備える。
【００１８】
固定把持片１１は絶縁操作棒２０の先端に固定配置され、また回動把持片１２はその下端寄り部分が枢着ピン１３を介して固定把持片１１の下端寄り部分に回動可能に枢着される。
【００１９】
回動把持片１２の下端部は、絶縁操作棒２０と平行に装備した補助絶縁操作棒３２の上端部に連結される。補助絶縁操作棒３２の下端部は、連結ピン３４を介して操作レバー３１の一端に回動可能に連結される。
【００２０】
操作レバー３１は、図２に示すように、略Ｌ字状で、補助絶縁操作棒３２と共に操作部３０を構成するものであり、その一端寄り部分が支持ピン３５に固定される。支持ピン３５は、絶縁操作棒２０の基端側に配置したロック機構４０のカバー４１の一端側（図２の左側）の凹部４１ａ内に回動可能に装備される。すなわち、操作レバー３１は、支持ピン３５と共にカバー４１に対して回動可能に装備される。
【００２１】
操作レバー３１を把持して該操作レバー３１を図２の矢印Ａ方向に回動させると、補助絶縁操作棒３２が引き下げられて、回動把持片１２が固定把持片１１側に回動して把持具１０は閉じ、例えば配電線の接続部分に被せる絶縁カバー、配電線から剥離された絶縁被覆等の被把持物を把持する。一方、操作レバー３１を図２の矢印Ａ方向と反対方向に回動させると、補助絶縁操作棒２１が押し上げられて、回動把持片１２が固定把持片１１から離れる側に回動して把持具１０は開き、把持した絶縁被覆等の被把持物を離す。
【００２２】
ロック機構４０は、図２に示すように、把持具１０を閉じる方向に操作レバー３１を回動（矢印Ａ方向に操作レバー３１を回動）させるのを許容するが、把持具２０を開く方向に操作レバー３１を回動（矢印Ａと反対方向に操作レバー３１を回動）させるのを阻止する一方向回転機構４２と、ロック時に一方向回転機構４２を保持し、ロック解除時に、一方向回転機構４２を解除して、把持具２０を閉じる方向と開く方向のいずれの方向にも操作レバー３１が回動するのを許容する、棒状のロックピン４３とを具備する。
【００２３】
一方向回転機構４２は、ラチェット歯車４４と該ラチェット歯車４４に係脱自在に係止するラチェット爪部材４５とから構成される。ラチェット歯車４４は、略４分の１円形状で、カバー４１の凹部４１ａ内の一方の壁部内面にネジ４６によって固定される。ラチェット爪部材４５は、操作レバー３１に設けた略Ｕ字状の取付部３１ａ内にピン３１ｂを介して揺動可能に装備される。
【００２４】
ラチェット爪部材４５はピン３１ｂに固定され、該ピン３１ｂは取付部３１ａに対して回動可能に取り付けられている。すなわち、ラチェット爪部材４５はピン３１ｂと共に取付部３１ａに対して回動（揺動）可能となる。本実施例では、ラチェット爪部材４５は、ラチェット歯車４４に係止する上端側の爪部分４５ａと、操作レバー３１に設けた軸線方向に伸びる溝３１ｃ内に出没する略Ｌ字状の下端側の操作部分４５ｂとの２つに分割されて、ピン３１ｂを介して両者が一体となるようにしてある。なお、２分割せずに、爪部分４５ａと操作部分４５ｂとを一体に形成するようにしてもよいことは勿論である。操作部分４５ｂの下端側の内面とこれと対向する溝３１ｃの底面との間には、付勢部材としてのコイルスプリング４７が介在されている。このコイルスプリング４７は、ラチェット爪部材４５（爪部分４５ａ）をピン３１ｂを支点としてラチェット歯車４４側に回動させるように付勢する。これにより、ラチェット爪部材４５（爪部分４５ａ）は、通常、ラチェット歯車４４に係止した状態に維持される。
【００２５】
ラチェット爪部材４５の爪部分４５ａがラチェット歯車４４に係止している状態では、操作レバー３１の図２の矢印Ａ方向への回動（把持具２０を閉じる方向への回動）を許容するが、同矢印Ａ方向と反対方向への回動（把持具２０を開く方向への回動）を阻止する。
【００２６】
ロックピン４３は、操作レバー３１に設けた取付部３１ａに、該操作レバー３１の軸線と直交する方向にスライド可能に装備されており（図４、図６参照）、コイルスプリング４７によって付勢されたラチェット爪部材４５の操作部分４５ｂが当接する。ロックピン４３は、その軸線方向両端に頭部４３ａが設けられ、これら頭部４３ａ間の軸部分が、径の小さいロック部４３ｂと、これよりも径の大きいロック解除部４３ｃと、これらロック部４３ｂとロック解除部４３ｃとの間のテーパー部４３ｄとに区画される。
【００２７】
ロック部４３ｂにラチェット爪部材４５の操作部分４５ｂが当接する状態では（図３、図４参照）、該ロック部４３ｂの外径が小さく、ラチェット爪部材４５はロック部４３ｂによりラチェット歯車４４から離れる方向（図３の反時計方向）に回動するように押圧されないことから、ラチェット爪部材４５の爪部分４５ａがコイルスプリング４７の付勢力（弾性力）によりラチェット歯車４４に係止した状態（ロック状態）が維持される。なお、このロック状態において、操作部分４５ｂをコイルスプリング４７の付勢力に抗して押圧すると、ラチェット爪部材４５（爪部分４５ａ）はピン３１ｂを支点としてラチェット歯車４４から離れる方向に回動し、ロック状態を一時的に解除することが可能である。操作部分４５ｂの押圧を止めると、ラチェット爪部材４５はコイルスプリング４７の復元弾性力によりラチェット歯車４４側に回動し、爪部分４５ａとラチェット歯車４４との係止状態が維持される。
【００２８】
これに対して、ロック解除部４３ｃにラチェット爪部材４５の操作部分４５ｂが当接する状態では（図５、図６参照）、該ロック解除部４３ｃの外径が大きいことから、ラチェット爪部材４５はロック解除部４３ｃによって押圧されてラチェット歯車４４から離れる方向（図３の反時計方向）に回動し、ラチェット爪部材４５の爪部分４５ａがラチェット歯車４４から離れるようになる（ロック解除状態となる）。
【００２９】
テーパー部４３ｃは、ロック部４３ｂからロック解除部４３ｃに向かって順次径が大きくなるように（ロック解除部４３ｃからロック部４３ｂに向かって順次径が小さくなるように）形成され、ロック解除状態（図５、図６参照）からロック状態（図３、図４参照）に移行する際にロックピン４３がラチェット爪部材４５の操作部分４５ｂに引っ掛からないようにするものである。
【００３０】
次に、上記実施例の間接活線把持工具の使用方法について説明する。
【００３１】
把持具１０を完全に開いた状態にするためには、例えば操作レバー３１を把持する手の親指でロックピン４３を押圧して一方向スライドさせ、ロック解除部４３ｃをラチェット爪部材４５の操作部分４５ｂ上に位置させると、ラチェット爪部材４５はロックピン４３のロック解除部４３ｃに押圧されて、コイルスプリング４７の付勢力に抗して爪部分４５ａがラチェット歯車４４から離れる方向に回動し、ロック状態が解除される。これにより、操作レバー３１はフリーな状態となり、該操作レバー３１を図２の矢印Ａ方向と反対の方向へ回動させることによって、回動把持片１２を固定把持片１１から引き離し、把持具１０を完全に開いた状態にすることができる。
【００３２】
把持具１０が完全に開いたら、今度は操作レバー３１を把持する手の人差し指でロックピン４３を押圧して前回とは反対の他方向にスライドさせ、ロック部４３ｂをラチェット爪部材４５の操作部分４５ｂ上に位置させると、ラチェット爪部材４５はロックピン４３から解放され、コイルスプリング４７の付勢力により爪部分４５ａがラチェット歯車４４に係止する方向に回動して、ロック状態となる。このロック状態では、操作レバー３１は図２の矢印Ａ方向への回動のみが許容される。次いで、被把持物を回動把持片１２と固定把持片１１との間に介在させてから、操作レバー３１を握りながら、図２の矢印Ａ方向に回動させると、回動把持片１２が固定把持片１１側に回動して被把持物を把持する。図３及び図４に示すように、爪部分４５ａとラチェット歯車４４との係止によって操作レバー３１の図２の矢印Ａ方向と反対の方向への回動が阻止されることから、操作レバー３１から手を離しても、把持具１０による把持状態は維持される。
【００３３】
被把持物を所定の場所まで搬送したら、被把持物を把持具１０から解放する。この場合には、操作レバー３１を把持する手の親指でロックピン４３を押圧して一方向にスライドさせ、ロック解除部４３ｃをラチェット爪部材４５の操作部分４５ｂ上に位置させてロック状態を解除し、操作レバー３１を図２の矢印Ａ方向と反対の方向へ回動させて、把持具１０を開く。
【００３４】
なお、操作レバー３１を把持した手の人差し指でラチェット爪部材４５の操作部分４５ｂをコイルスプリング４７の付勢力に抗して押圧すると、爪部分４５ａがラチェット歯車４４から離れて一時的にロック解除状態となる。人差し指でラチェット爪部材４５の操作部分４５ｂを押圧した状態を維持しながら、操作レバー３１を図２の矢印Ａ方向と反対の方向へ回動させて、把持具１０を開くこともできる。
【００３５】
上述の如く、操作レバー３１を把持した手の親指等でロックピン４３をスライドさせるだけでよく、図７、図８に示すように、ロックするにはネジ部材１６０を一方向に回動操作し、またロック状態を解除するにはネジ部材１６０を他方向に回動操作するか、あるいはロック解除ボタン１９０をスプリング１７０のバネ力に抗して押圧する必要はない。
【００３６】
なお、上記実施例では、一方向回転機構４２としてラチェット歯車４４とラチェット爪部材４５を使用した場合を示したが、これに限定されるものではなく、一方向の回転のみを許容する種々の機構を採用できることは勿論である。要は操作レバーを握る手の指で一方向回転機構のロックとロック解除ができる機構であれば、上記実施例に示された機構に限定されない。
【００３７】
【発明の効果】
以上説明したように本発明の間接活線把持工具によれば、操作レバーにロックピンをスライド可能に装備したので、操作レバーを把持した手の指で、ロックピンをスライドさせることによりロック状態、ロック解除状態にすることができ、把持具を完全に開いて被把持物を把持した後、把持具を閉じて被把持物を把持する作業が極めて容易に行える。
【図面の簡単な説明】
【図１】本発明の一実施例を示す間接活線把持工具全体の正面図である。
【図２】図１の間接活線把持工具に装備されたロック機構の部分拡大正面図である。
【図３】把持具の閉じ状態を維持するときの、ロック機構の部分拡大正面図である。
【図４】図３のロック機構の側面図である。
【図５】図３の状態からロックを解除したときの、ロック機構の部分拡大正面図である。
【図６】図５のロック機構の側面図である。
【図７】従来のロック機構のロック解除状態を説明する正面図である。
【図８】従来のロック機構のロック状態を説明する正面図である。
【符号の説明】
１０    把持具
２０    絶縁操作棒
３０    操作部
３１    操作レバー
３２    補助絶縁操作棒
４０    ロック機構
４１    カバー
４２    一方向回転機構
４３    ロックピン
４３ｂ  ロック部
４３ｃ  ロック解除部
４３ｄ  テーパー部
４４    ラチェット歯車
４５    ラチェット爪部材
４５ａ  爪部分
４５ｂ  操作部分
４７  付勢部材（コイルスプリング）
【図１】
0004092014.tif 000002
【図２】
0004092014.tif 000003
【図３】
0004092014.tif 000004
【図４】
0004092014.tif 000005
【図５】
0004092014.tif 000006
【図６】
0004092014.tif 000007
【図７】
0004092014.tif 000008
【図８】
0004092014.tif 000009